(57)【要約】【課題】購入予定の商品を漏れなく購入したか否かを確認することが困難であった。【解決手段】買物籠に取り付けられており、商品が前記買物籠に入れられる毎に、前記商品から、当該商品の名称及び価格を示す商品データを読み出す読出部と、電子マネーを記憶する記憶部と、前記買物籠に入れられた全ての商品の合計金額を算出する算出部と、前記商品データにより示される前記商品の名称及び価格、並びに、前記合計金額及び当該合計金額に対応するポイント数を表示する表示部と、前記合計金額を前記記憶部内の前記電子マネーにより精算する処理部と、を含む。【選択図】図１
2009265790.tif 000002
【特許請求の範囲】
【請求項１】
商品から、当該商品の名称及び価格を示す商品データを読み出す読出部と、
電子マネーを記憶する記憶部と、
買物籠に入れられた全ての商品の合計金額を算出する算出部と、
前記商品データにより示される前記商品の名称及び価格、並びに、前記合計金額及び当該合計金額に対応するポイント数を表示する表示部と、
前記合計金額を前記記憶部内の前記電子マネーにより精算する処理部と、を含むことを特徴とする買物籠。
【請求項２】
前記記憶部は、ＦｅＲＡＭであることを特徴とする請求項１記載の買物籠。
【発明の詳細な説明】
【技術分野】
【０００１】
本発明は、スーパーマーケット及びコンビニエンスストア等の店舗で用いられる買物籠に関する。
【背景技術】
【０００２】
下記の特許文献１に記載されているように、従来の店舗システムでは、レジ装置での精算を簡略化し、かつ、精算後に店舗用買物籠から買物客の買物籠（いわゆるマイバッグ、エコバッグ）へ商品を移し変える手間を省略化することを企図すべく、買物客は、ショッピングカートに買物客の買物籠を取り付け、当該買物籠に購入希望の商品を入れていき、最後に、商品の合計金額を無線を介してレジ装置で精算する。
【０００３】
【特許文献１】特開２００７−３２３４５３号公報
【発明の開示】
【発明が解決しようとする課題】
【０００４】
しかしながら、上記した店舗システムでは、前記買物客の買物籠は、第三者に中身を見られることを避けるべく、一般に透明でないことから、購入予定の商品を漏れなく購入したか否かを確認することが困難であり、しかも、購入しようとする商品の合計金額が予算内であるか否か、更には、購入により発生するポイント数がどれくらいであるかを確認することができないという問題があった。
【課題を解決するための手段】
【０００５】
本発明は、上記した課題を解決すべく、以下の適用例により実現される。
【０００６】
［適用例１］
商品から、当該商品の名称及び価格を示す商品データを読み出す読出部と、
電子マネーを記憶する記憶部と、
買物籠に入れられた全ての商品の合計金額を算出する算出部と、
前記商品データにより示される前記商品の名称及び価格、並びに、前記合計金額及び当該合計金額に対応するポイント数を表示する表示部と、
前記合計金額を前記記憶部内の前記電子マネーにより精算する処理部と、を含むことを特徴とする買物籠。
【０００７】
本発明の買物籠によれば、前記表示部が、前記買物籠に入れられた商品及び価格、合計金額、並びにポイント数を表示することから、買物客は、購入予定の商品を漏れなく購入したか否か、購入しようとする商品の合計金額が予算内であるか否か、商品の購入により発生するポイント数がどれくらいであるかを確認することが可能となる。
【０００８】
［適用例２］
前記記憶部は、ＦｅＲＡＭであることを特徴とする適用例１の買物籠。
【発明を実施するための最良の形態】
【０００９】
実施例の買物籠について図面を参照して説明する。
【００１０】
〈構成〉
図１は、実施例の精算カードを備える買物籠を示す。実施例の買物籠ＢＳは、図２に示されるような、各々タグＴ（例えば、ＲＦＩＤ）が付けられている商品Ｍ１ａ、Ｍ１ｂ、Ｍ１ｃ、．．．、商品Ｍ２ａ、Ｍ２ｂ、Ｍ２ｃ、．．．、商品Ｍ３ａ、Ｍ３ｂ、Ｍ３ｃ、．．．が陳列棚Ｓに並べられているスーパーマーケット及びコンビニエンスストア等の店舗での買い物に用いられ、図１に示されるように、籠本体Ｂと、取っ手Ｈとからなり、更に、精算カードＣを備える。
【００１１】
精算カードＣは、図１に示されるように、買物籠ＢＳの側面に取り付けられており、図３に示されるように、読出部ＲＤと、処理部ＰＲと、記憶部ＳＴと、表示部ＤＳと、を有する。
【００１２】
読出部ＲＤは、買物客ＣＳ（図７に図示。）が買物籠ＢＳに当該買物客ＣＳが購入しようとする商品を入れるときに、当該商品のタグＴから当該商品の商品データ、即ち、当該商品の名称及び価格を読み出す。精算カードＣは、例えば、購入客ＣＳが、買物籠ＢＳに商品Ｍ１ａを入れるとき、商品Ｍ１ａのタグＴから、当該商品Ｍ１ａの商品名及び価格を読み出す。
【００１３】
記憶部ＳＴは、例えば、ＦｅＲＡＭであり、前記読出部ＲＤにより読み出された商品の名称及び価格を記憶し、例えば、図５に示されるように、商品の名称「パン」及びその価格「￥２００」、商品の名称「牛乳」及びその価格「￥１００」、並びに、商品の名称「いちご」及びその価格「￥５００」を記憶する。
【００１４】
記憶部ＳＴは、また、買物客ＣＳの電子マネー（所持金額）として、「￥３０、０００」を記憶している。
【００１５】
『算出部』として機能する処理部ＰＲは、前記読み出された商品の名称及び価格に基づき、買物客ＣＳが購入しようとしている商品全ての合計金額を算出し、例えば、記憶部ＳＴに、図５に示されるように、商品の名称「パン」、「牛乳」、「いちご」及びそれらの価格「￥２００」、「￥１００」、「￥５００」が記憶されているとき、合計金額「￥８００」を算出する。
【００１６】
表示部ＤＳは、例えば、液晶パネル又は有機ＥＬパネルからなり、図６に示されるように、買物客ＣＳが購入しようとしている商品「パン」、「牛乳」、「いちご」の名称及びそれらの価格「￥２００」、「￥１００」、「￥５００」を表示し、かつ、前記合計金額「￥８００」の支払いにより発生するポイント数（合計金額の、例えば、５％の点数に相当する金額。この場合には、「￥４０」）を表示する。
【００１７】
〈動作〉
実施例の買物籠の動作について説明する。
【００１８】
ステップＳ１：買物客ＣＳは、スーパーマーケット又はコンビニエンスストア等の店舗で、買物籠ＢＳを持って、図２に示される、陳列棚Ｓに並べられた商品から、図４に示されるように、例えば、商品Ｍ１ａ（パン）、Ｍ２ａ（牛乳）、Ｍ３ａ（いちご）を買物籠ＢＳに入れる。
【００１９】
ステップＳ２：買物籠ＢＳに、商品Ｍ１ａ、Ｍ２ａ、Ｍ３ａが入れられると、精算カードＣでは、読出部ＲＤは、商品Ｍ１ａのタグＴから、商品の名称「パン」及び価格「￥２００」を読み出し、同様にして、商品Ｍ２ａのタグＴから、商品の名称「牛乳」及び価格「￥１００」を読み出し、更に、商品Ｍ３ａから、商品の名称「いちご」及び価格「￥５００」を読み出す。
【００２０】
ステップＳ３：表示部ＤＳは、図６に示されるように、読み出された商品の名称及び価格を表示し、例えば、商品の名称「パン」及びその価格「￥２００」を表示する。
【００２１】
ステップＳ４：処理部ＰＲは、前記商品Ｍ１ａ、Ｍ２ａ、Ｍ３ａの合計金額として、「￥８００」を算出し、また、ポイント数として、「￥４０」を算出する。
【００２２】
ステップＳ５：表示部ＤＳは、当該合計金額「￥８００」及びポイント数「４０点」が算出されると、図６に示されるように、商品「パン」とその価格「￥２００」、商品「牛乳」とその価格「￥１００」、商品「いちご」とその価格「￥５００」、合計金額「￥８００」、及びポイント数「￥４０」を表示する。
【００２３】
ステップＳ６：買物客ＣＳは、商品の購入を終えると、図７に示すように、精算装置（レジスタ）ＲＧの場所に行き、精算カードＣを精算装置ＲＧのリーダ（読取部）ＲＥに対向させる。これにより、精算装置ＲＧのリーダＲＥは、精算カードＣから、前記合計金額「￥８００」を読み出す。
【００２４】
ステップＳ７：買物客ＣＳは、８００円をレジ係ＲＰに手渡し、例えば、電子マネーの「￥３０、０００」から支払い、これにより支払いが精算する。
【００２５】
〈効果〉
上述したように、実施例の買物籠ＢＳでは、表示部ＤＳが、購入しようとする商品の名称及び価格、合計金額、並びに、ポイント数を表示することから、買物客ＣＳは、購入することを予め決めておいた商品を漏れなく購入したか否かを確認することができ、また、買物籠ＢＳに入れた、購入しようとする商品の合計金額が予算内であるか否かを確認することができ、さらに、商品の購入により発生するポイント数を確認することが可能となる。
【図面の簡単な説明】
【００２６】
【図１】実施例の買物籠の構成を示す図。
【図２】実施例の陳列された商品を示す図。
【図３】実施例の精算カードを示す図。
【図４】実施例の買物の状況を示す図。
【図５】実施例の記憶部の記憶内容を示す図。
【図６】実施例の表示部の表示内容を示す図。
【図７】実施例の精算の状況を示す図。
【符号の説明】
【００２７】
ＢＳ…買物籠、Ｈ…取っ手、Ｂ…買物籠本体、Ｃ…精算カード、ＤＳ…表示部。
【図１】
2009265790.tif 000003
【図２】
2009265790.tif 000004
【図３】
2009265790.tif 000005
【図４】
2009265790.tif 000006
【図５】
2009265790.tif 000007
【図６】
2009265790.tif 000008
【図７】
2009265790.tif 000009